(57)【要約】  本発明に係る農作業管理システムは、農作業を行う各作業者が携帯する通信端末１０と農作業の管理を行う作業管理センタに設置された農作業管理装置２０とを備える。農作業管理装置２０は、通信端末１０の操作ボタン１２Ａが押下操作されたときに送信される作業が開始された旨の通知、及び通信端末１０の位置情報に基づき、作業者が作業を行っている場所を特定し、特定した作業場所で実施すべき作業内容及び作業予定時間を通信端末１０に送信する。通信端末１０が農作業管理装置２０からの情報を受信した場合、その情報を表示部１３に表示する。
2008126261.tif 000002
【特許請求の範囲】
【請求項１】
農作業を行う作業者の位置情報を送信する通信装置と、該通信装置から送信される位置情報に基づいて前記農作業の進捗状況を管理する農作業管理装置とを備える農作業管理システムにおいて、
前記通信装置は、農作業の開始時及び終了時に所定の操作を受付ける操作部と、該操作部にて前記所定の操作を受付けた場合、農作業が開始された旨及び農作業が終了した旨を前記農作業管理装置に通知する手段と、前記農作業管理装置から送信される情報を受信する手段と、受信した情報を表示する表示部とを備え、
前記農作業管理装置は、作業場所、該作業場所にて実施すべき作業内容、及び作業の進捗状況を関連付けて記憶する進捗状況管理テーブルと、前記通信装置からの通知に基づき作業履歴を作成する手段と、前記通信装置から送信される位置情報に基づいて作業場所を特定する手段と、特定した作業場所にて実施すべき作業内容及び進捗状況の情報を前記進捗状況管理テーブルから読み出す手段と、読み出した進捗状況の情報から作業予定時間を算出する手段と、読み出した作業内容及び算出した作業予定時間の情報を前記通信装置へ送信する手段とを備えることを特徴とする農作業管理システム。
【請求項２】
前記農作業管理装置は、作成した作業履歴に従って前記進捗状況管理テーブルに記憶させる作業内容及び進捗状況の情報を更新する手段を備えることを特徴とする請求項１に記載の農作業管理システム。
【請求項３】
前記農作業管理装置は、農作物毎又は農作物の品種毎に前記進捗状況管理テーブルを備えることを特徴とする請求項１又は請求項２に記載の農作業管理システム。
【請求項４】
前記通信装置は、前記操作部にて前記所定の操作と異なる操作を受付けた場合、農作業が中断された旨を前記農作業管理装置に通知する手段を備え、
前記農作業管理装置は、農作業が中断された旨の通知を受信する手段と、中断理由に係る情報を受付ける手段と、前記通知及び受付けた中断理由に係る情報に基づいて中断履歴を作成する手段とを備えることを特徴とする請求項１乃至請求項３の何れか１つに記載の農作業管理システム。
【請求項５】
前記中断理由は、害虫又は病変の発生に伴う薬剤散布を含み、前記農作業管理装置は、発生した害虫又は病変の情報と発生場所の情報とを時刻に関連付けて記憶することにより前記中断履歴を作成するようにしてあることを特徴とする請求項４に記載の農作業管理システム。
【請求項６】
前記農作業管理装置は、前記中断履歴に記憶されている情報に基づき、害虫又は病変の発生場所の広がり具合を算出する手段を備えることを特徴とする請求項５に記載の農作業管理システム。
【請求項７】
前記中断理由は、害虫又は病変の発生に伴う薬剤散布を含み、前記農作業管理装置は、散布した薬剤の情報と散布場所の情報とを時刻に関連付けて記憶することにより前記中断履歴を作成するようにしてあることを特徴とする請求項４に記載の農作業管理システム。
【請求項８】
前記農作業管理装置は、薬剤の種類、該薬剤の用途、及び該薬剤に対して規定された制限散布回数を関連付けて記憶する薬剤データベースと、農作業が中断された旨の通知を受信した場合、前記薬剤データベースから散布可能な薬剤を検索する手段と、検索された散布可能な薬剤の情報を表示する手段とを備えることを特徴とする請求項７に記載の農作業管理システム。
【請求項９】
前記農作業管理装置は、発生した害虫又は病変に関連する情報及び発生場所に関連する情報を外部へ送信する手段を備えることを特徴とする請求項５に記載の農作業管理システム。
【請求項１０】
前記農作業管理装置は、害虫又は病変に対する耐性を持つ農作物及び薬剤耐性を持つ害虫又は病変を抽出する手段を備えることを特徴とする請求項７に記載の農作業管理システム。
【請求項１１】
農作業を行う作業者の位置情報を取得し、取得した位置情報に基づいて前記農作業の進捗状況を管理する農作業管理装置において、
作業場所、該作業場所にて実施すべき作業内容、及び作業の進捗状況を関連付けて記憶する進捗状況管理テーブルと、位置情報を取得した場合、該位置情報に基づいて作業場所を特定する手段と、特定した作業場所にて実施すべき作業内容及び進捗状況の情報を前記進捗状況管理テーブルから読み出す手段と、読み出した進捗状況の情報から作業予定時間を算出する手段と、読み出した作業内容及び算出した作業予定時間の情報を外部へ送信する手段とを備えることを特徴とする農作業管理装置。
【請求項１２】
農作業を行う作業者の位置情報を取得し、取得した位置情報に基づいて前記農作業の進捗状況を管理する農作業管理方法において、
作業場所、該作業場所にて実施すべき作業内容、及び作業の進捗状況を関連付けて進捗状況管理テーブルに格納するステップと、位置情報を取得した場合、該位置情報に基づいて作業場所を特定するステップと、特定した作業場所にて実施すべき作業内容及び進捗状況の情報を前記進捗状況管理テーブルから読み出すステップと、読み出した進捗状況の情報から作業予定時間を算出するステップと、読み出した作業内容及び算出した作業予定時間の情報を外部へ送信するステップとを有することを特徴とする農作業管理方法。
【請求項１３】
コンピュータに、農作業を行う作業者の位置情報に基づいて前記農作業の進捗状況を管理させるコンピュータプログラムにおいて、
コンピュータに、作業場所、該作業場所にて実施すべき作業内容、及び作業の進捗状況を関連付けて進捗状況管理テーブルに格納させるステップと、コンピュータに、入力された位置情報に基づいて作業場所を特定させるステップと、コンピュータに、特定させた作業場所にて実施すべき作業内容及び進捗状況の情報を前記進捗状況管理テーブルから読み出させるステップと、コンピュータに、読み出させた進捗状況の情報から作業予定時間を算出させるステップと、コンピュータに、読み出させた作業内容及び算出させた作業予定時間の情報を外部へ送信させるステップとを有することを特徴とするコンピュータプログラム。
【請求項１４】
コンピュータに、農作業を行う作業者の位置情報に基づいて前記農作業の進捗状況を管理させるコンピュータプログラムが記録されているコンピュータでの読み取りが可能な記録媒体において、
コンピュータに、作業場所、該作業場所にて実施すべき作業内容、及び作業の進捗状況を関連付けて進捗状況管理テーブルに格納させるステップと、コンピュータに、入力された位置情報に基づいて作業場所を特定させるステップと、コンピュータに、特定させた作業場所にて実施すべき作業内容及び進捗状況の情報を前記進捗状況管理テーブルから読み出させるステップと、コンピュータに、読み出させた進捗状況の情報から作業予定時間を算出させるステップと、コンピュータに、読み出させた作業内容及び算出させた作業予定時間の情報を外部へ送信させるステップとを有するコンピュータプログラムが記録されていることを特徴とするコンピュータでの読み取りが可能な記録媒体。
【発明の詳細な説明】
【技術分野】
【０００１】
本発明は、農作業の進捗状況を管理する農作業管理システム、農作業管理装置、農作業管理方法、コンピュータプログラム、及び記録媒体に関する。
【背景技術】
【０００２】
従来、植物の種類、農薬の種類、農薬の散布量、肥料の 種類、施肥量、給水量、植え付け日、収穫予定日等のデータを管理することにより、植物毎のきめ細やかな管理を行うことができる栽培システムが提案されている（例えば、特許文献１を参照）。【０００３】
また、農作業に関して、ＧＰＳ受信機の位置及び時間情報を取得することにより農作業日誌を作成し、作業者が実施し得る複数の作業候補から作業者が実施すべき作業項目を推論することができる技術（例えば、特許文献２を参照）、農作物に対して行われた農作業の情報を自動的に収集し、農作業の履歴を管理することができる技術（例えば、特許文献３を参照）が提案されている。【０００４】
更に、病害虫の診断を行う装置として、利用者に対する質問を用意し、その質問に対する回答を用いて人工知能による予測診断を行う技術が開示されている（例えば、特許文献４を参照）。
【特許文献１】特開平０６−１３３６４５号公報
【特許文献２】特開２００５−１２４５３８号公報
【特許文献３】特開２００５−９２５９５号公報
【特許文献４】特開平０６−３０６５７号公報
【発明の開示】
【発明が解決しようとする課題】
【０００５】
しかしながら、特許文献１に記載の栽培システムは、作業機械が作業を行うための情報を管理する構成であるため、データキャリアを植物の近傍に配置する必要があり、各作業者が作業を行うための情報を提供することができないという問題点を有する。【０００６】
また、特許文献２に記載の農作業記録自動化システムでは、ルールベース型の推論により、日付、気象条件、時間帯等の作業項目の絞り込みを行っているため、大局的には作業項目を特定できるかもしれないが、推論により得られた結果が必ずしも正確な作業場所、作業開始時刻、作業終了時刻を反映しているとは限らないという問題点を有する。【０００７】
また、特許文献３に記載の農作業履歴管理装置では、ＩＣタグに記憶されている１つの識別子により１つの作業情報を管理する構成であるため、作業場所、作業開始時刻、作業終了時刻等の複数の情報を取得しようとすれば、複数のＩＣタグを用いる必要があり、栽培している農作物、品種が多岐に亘り、作業場所、作業人員が多数になるとＩＣタグの管理が非常に繁雑になるという問題点を有している。【０００８】
また、特許文献４に開示されている技術では、提示される質問に対して利用者自身が回答を入力する必要があり、人工知能で予測診断を行う構成であるため、必ずしも信頼性が高い診断結果が得られるとは限らないという問題点を有する。更に、病害虫の広がり具合を算出することはできないため、駆除対策等の緊急度を推測することはできない。【０００９】
本発明は斯かる事情に鑑みてなされたものであり、農作業を行う作業者が携帯する通信装置からの通知に基づき、作業者が作業している作業場所を特定し、特定した作業場所での作業内容及び作業予定時間の情報を前記通信装置へ送信する構成としているため、栽培している農作物、品種が多岐に亘り、栽培箇所が複数である場合、作業者が複数である場合等であっても作業効率を飛躍的に向上させることができる農作業管理システム、農作業管理装置、農作業管理方法、コンピュータプログラム、及び記録媒体を提供することを目的とする。
【課題を解決するための手段】
【００１０】
第１発明に係る農作業管理システムは、農作業を行う作業者の位置情報を送信する通信装置と、該通信装置から送信される位置情報に基づいて前記農作業の進捗状況を管理する農作業管理装置とを備える農作業管理システムにおいて、前記通信装置は、農作業の開始時及び終了時に所定の操作を受付ける操作部と、該操作部にて前記所定の操作を受付けた場合、農作業が開始された旨及び農作業が終了した旨を前記農作業管理装置に通知する手段と、前記農作業管理装置から送信される情報を受信する手段と、受信した情報を表示する表示部とを備え、前記農作業管理装置は、作業場所、該作業場所にて実施すべき作業内容、及び作業の進捗状況を関連付けて記憶する進捗状況管理テーブルと、前記通信装置からの通知に基づき作業履歴を作成する手段と、前記通信装置から送信される位置情報に基づいて作業場所を特定する手段と、特定した作業場所にて実施すべき作業内容及び進捗状況の情報を前記進捗状況管理テーブルから読み出す手段と、読み出した進捗状況の情報から作業予定時間を算出する手段と、読み出した作業内容及び算出した作業予定時間の情報を前記通信装置へ送信する手段とを備えることを特徴とする。【００１１】
第２発明に係る農作業管理システムは、前記農作業管理装置が、作成した作業履歴に従って前記進捗状況管理テーブルに記憶させる作業内容及び進捗状況の情報を更新する手段を備えることを特徴とする。【００１２】
第３発明に係る農作業管理システムは、前記農作業管理装置が、農作物毎又は農作物の品種毎に前記進捗状況管理テーブルを備える。【００１３】
第４発明に係る農作業管理システムは、前記通信装置が、前記操作部にて前記所定の操作と異なる操作を受付けた場合、農作業が中断された旨を前記農作業管理装置に通知する手段を備え、前記農作業管理装置は、農作業が中断された旨の通知を受信する手段と、中断理由に係る情報を受付ける手段と、前記通知及び受付けた中断理由に係る情報に基づいて中断履歴を作成する手段とを備えることを特徴とする。【００１４】
第５発明に係る農作業管理システムは、前記中断理由が害虫又は病変の発生に伴う薬剤散布を含み、前記農作業管理装置は、発生した害虫又は病変の情報と発生場所の情報とを時刻に関連付けて記憶することにより前記中断履歴を作成するようにしてあることを特徴とする。【００１５】
第６発明に係る農作業管理システムは、前記農作業管理装置が、前記中断履歴に記憶されている情報に基づき、害虫又は病変の発生場所の広がり具合を算出する手段を備えることを特徴とする。【００１６】
第７発明に係る農作業管理システムは、前記中断理由が害虫又は病変の発生に伴う薬剤散布を含み、前記農作業管理装置は、散布した薬剤の情報と散布場所の情報とを時刻に関連付けて記憶することにより前記中断履歴を作成するようにしてあることを特徴とする。【００１７】
第８発明に係る農作業管理システムは、前記農作業管理装置が、薬剤の種類、該薬剤の用途、及び該薬剤に対して規定された制限散布回数を関連付けて記憶する薬剤データベースと、農作業が中断された旨の通知を受信した場合、前記薬剤データベースから散布可能な薬剤を検索する手段と、検索された散布可能な薬剤の情報を表示する手段とを備えることを特徴とする。【００１８】
第９発明に係る農作業管理システムは、前記農作業管理装置が、発生した害虫又は病変に関連する情報及び発生場所に関連する情報を外部へ送信する手段を備えることを特徴とする。【００１９】
第１０発明に係る農作業管理システムは、前記農作業管理装置が、害虫又は病変に対する耐性を持つ農作物及び薬剤耐性を持つ害虫又は病変を抽出する手段を備えることを特徴とする。【００２０】
第１１発明に係る農作業管理装置は、農作業を行う作業者の位置情報を取得し、取得した位置情報に基づいて前記農作業の進捗状況を管理する農作業管理装置において、作業場所、該作業場所にて実施すべき作業内容、及び作業の進捗状況を関連付けて記憶する進捗状況管理テーブルと、位置情報を取得した場合、該位置情報に基づいて作業場所を特定する手段と、特定した作業場所にて実施すべき作業内容及び進捗状況の情報を前記進捗状況管理テーブルから読み出す手段と、読み出した進捗状況の情報から作業予定時間を算出する手段と、読み出した作業内容及び算出した作業予定時間の情報を外部へ送信する手段とを備えることを特徴とする。【００２１】
第１２発明に係る農作業管理方法は、農作業を行う作業者の位置情報を取得し、取得した位置情報に基づいて前記農作業の進捗状況を管理する農作業管理方法において、作業場所、該作業場所にて実施すべき作業内容、及び作業の進捗状況を関連付けて進捗状況管理テーブルに格納するステップと、位置情報を取得した場合、該位置情報に基づいて作業場所を特定するステップと、特定した作業場所にて実施すべき作業内容及び進捗状況の情報を前記進捗状況管理テーブルから読み出すステップと、読み出した進捗状況の情報から作業予定時間を算出するステップと、読み出した作業内容及び算出した作業予定時間の情報を外部へ送信するステップとを有することを特徴とする。【００２２】
第１３発明に係るコンピュータプログラムは、コンピュータに、農作業を行う作業者の位置情報に基づいて前記農作業の進捗状況を管理させるコンピュータプログラムにおいて、コンピュータに、作業場所、該作業場所にて実施すべき作業内容、及び作業の進捗状況を関連付けて進捗状況管理テーブルに格納させるステップと、コンピュータに、入力された位置情報に基づいて作業場所を特定させるステップと、コンピュータに、特定させた作業場所にて実施すべき作業内容及び進捗状況の情報を前記進捗状況管理テーブルから読み出させるステップと、コンピュータに、読み出させた進捗状況の情報から作業予定時間を算出させるステップと、コンピュータに、読み出させた作業内容及び算出させた作業予定時間の情報を外部へ送信させるステップとを有することを特徴とする。【００２３】
第１４発明に係る記録媒体は、コンピュータに、農作業を行う作業者の位置情報に基づいて前記農作業の進捗状況を管理させるコンピュータプログラムが記録されているコンピュータでの読み取りが可能な記録媒体において、コンピュータに、作業場所、該作業場所にて実施すべき作業内容、及び作業の進捗状況を関連付けて進捗状況管理テーブルに格納させるステップと、コンピュータに、入力された位置情報に基づいて作業場所を特定させるステップと、コンピュータに、特定させた作業場所にて実施すべき作業内容及び進捗状況の情報を前記進捗状況管理テーブルから読み出させるステップと、コンピュータに、読み出させた進捗状況の情報から作業予定時間を算出させるステップと、コンピュータに、読み出させた作業内容及び算出させた作業予定時間の情報を外部へ送信させるステップとを有するコンピュータプログラムが記録されていることを特徴とする。【００２４】
第１発明、第１１発明、第１２発明、第１３発明、及び第１４発明にあっては、農作業を行う作業者が携帯する通信装置からの通知に基づき、作業者が作業している作業場所を特定し、特定した作業場所での作業内容を読み出し、作業予定時間を算出する構成であるため、作業場所及び作業の進捗具合に応じて最適な人員配置が可能となる。【００２５】
第２発明にあっては、作業履歴に従って進捗状況管理テーブルに記憶させる作業内容及び進捗状況の情報が更新されるため、進捗状況の把握が随時可能となり、作業当日の最適な人員配置が可能となる。【００２６】
第３発明にあっては、農作物毎又は農作物の品種毎に進捗状況管理テーブルを備えるため、農作物毎又は品種毎に作業者の最適な人員配置が可能となる。【００２７】
第４発明にあっては、通信装置から農作業が中断された旨の通知及び中断理由に係る情報に基づいて中断履歴を作成するようにしているため、農作業の進捗状況の把握が可能となる。【００２８】
第５発明にあっては、発生した害虫又は病変の情報と発生場所の情報とを時刻に関連付けて記憶することにより中断履歴を作成するようにしているため、作成した履歴を分析することにより、対策を講じることが可能となる。【００２９】
第６発明にあっては、害虫又は病変の発生場所の広がり具合を算出するようにしているため、深刻度、危険率の設定が可能となり、即時的に対応すべきものか、様子を見るべきものかについての判断材料となる。【００３０】
第７発明にあっては、散布した薬剤の情報と散布場所の情報とを時刻に関連付けて記憶することにより中断履歴を作成するようにしているため、作成した履歴を確認することにより、散布できる回数のチェックが可能となる。特に、薬剤の情報として成分の情報を履歴に登録することで、成分は同じであるが商品名が異なるものを同一の薬剤として認識することができる。【００３１】
第８発明にあっては、薬剤の種類、用途、制限散布回数を関連付けて記憶する薬剤データベースを備えるため、このデータベースを検索することにより、対応可能な薬剤を確認することができる。また、薬剤の在庫がない場合、発注手続きなどを行い、速やかに必要な薬剤を入手することができる。【００３２】
第９発明にあっては、発生した害虫又は病変に関連する情報、発生場所に関連する情報を外部へ送信する手段を備えるため、発生原因等が不明である場合、作物名、品種、発見日時、画像、気象条件等の情報を専門家に送信することで、最適な対応方法の情報を速やかに得ることができる。【００３３】
第１０発明にあっては、害虫又は病変に対する耐性を持つ農作物及び薬剤耐性を持つ害虫又は病変が抽出される。
【発明の効果】
【００３４】
第１発明、第１１発明、第１２発明、第１３発明、及び第１４発明による場合は、農作業を行う作業者が携帯する通信装置からの通知に基づき、作業者が作業している作業場所を特定し、特定した作業場所での作業内容を読み出し、作業予定時間を算出するようにしている。したがって、作業場所及び作業の進捗具合に応じて最適に人員を配置することができ、栽培している農作物、品種が複数である場合、栽培している場所が複数である場合、作業者が複数いる場合等であっても効率的に農作業を進めることができる。【００３５】
第２発明による場合は、作業履歴に従って進捗状況管理テーブルに記憶させる作業内容及び進捗状況の情報が更新される。したがって、進捗状況の把握が随時可能となり、作業当日の最適な人員配置が可能となる。【００３６】
第３発明による場合は、農作物毎又は農作物の品種毎に進捗状況管理テーブルを備えるため、農作物毎又は品種毎に作業者の最適な人員配置が可能となる。【００３７】
第４発明による場合は、通信装置から農作業が中断された旨の通知及び中断理由に係る情報に基づいて中断履歴を作成するようにしている。したがって、農作業の進捗状況の把握が可能となり、例えば、害虫の駆除等の突発的な作業が発生した場合であっても、その情報を入力することで、全体の作業に影響がある場合には翌日以降の作業を見直すことができる。【００３８】
第５発明による場合は、発生した害虫又は病変の情報と発生場所の情報とを時刻に関連付けて記憶することにより中断履歴を作成するようにしている。したがって、作成した履歴を分析することにより、対策を講じることが可能となる。【００３９】
第６発明による場合は、害虫又は病変の発生場所の広がり具合を算出するようにしているため、深刻度、危険率の設定が可能となり、即時的に対応すべきものか、様子を見るべきものかを判断して対策を講じることができる。【００４０】
第７発明による場合は、散布した薬剤の情報と散布場所の情報とを時刻に関連付けて記憶することにより中断履歴を作成するようにしているため、作成した履歴を確認することにより、散布できる回数のチェックが可能となる。特に、薬剤の情報として成分の情報を履歴に登録することで、成分は同じであるが商品名が異なるものを同一の薬剤として認識することができる。【００４１】
第８発明による場合は、薬剤の種類、用途、制限散布回数を関連付けて記憶する薬剤データベースを備えるため、このデータベースを検索することにより、対応可能な薬剤を確認することができる。また、ポジティブリストや地域散布基準の関係で散布できる回数に制限がある場合、代替薬剤の検索を行うことができる。このとき、別商品でも制限されたものと同一成分のものは検索対象から外すことが望ましい。また、薬剤の在庫がない場合、発注手続きなどを行い、速やかに必要な薬剤を入手することができる。【００４２】
第９発明による場合は、発生した害虫又は病変に関連する情報、発生場所に関連する情報を外部へ送信する手段を備えるため、発生原因等が不明である場合、作物名、品種、発見日時、画像、気象条件等の情報を専門家に送信することで、最適な対応方法の情報を速やかに得ることができる。【００４３】
第１０発明による場合は、害虫又は病変に対する耐性を持つ農作物及び薬剤耐性を持つ害虫又は病変を抽出することができる。
【図面の簡単な説明】
【００４４】
【図１】本実施の形態に係る農作業管理システムの全体構成を示す模式図である。
【図２】通信端末及び農作業管理装置の内部構成を説明するブロック図である。
【図３】作物管理テーブルの一例を示す概念図である。
【図４】作業管理テーブルの一例を示す概念図である。
【図５】進捗状況管理テーブルの一例を示す概念図である。
【図６】作業員管理テーブル及びＲＦＩＤ管理テーブルの一例を示す概念図である。
【図７】作業履歴管理テーブルの一例を示す概念図である。
【図８】病害虫管理テーブル及び病害虫対応履歴テーブルの一例を示す概念図である。
【図９】薬剤データベースの一例を示す概念図である。
【図１０】作業開始時に農作業管理装置が実行する処理の手順を示すフローチャートである。
【図１１】作業中断時に農作業管理装置が実行する処理の手順を示すフローチャートである。
【図１２】薬剤の検索結果の一例を示す図表である。
【図１３】分析処理の実行時に農作業管理装置が実行する処理の手順を示すフローチャートである。
【図１４】病害虫の広がり具合の算出結果の一例を示す図表である。
【図１５】病害虫耐性のある品種、薬剤耐性のある病害虫耐性のある病害虫の抽出結果の一例を示す図表である。
【符号の説明】
【００４５】
１０  通信端末
１１  制御部
１２  操作部  
１３  表示部
１４  通信部
２０  農作業管理装置
２１  ＣＰＵ
２２  バス
２３  ＲＯＭ
２４  ＲＡＭ
２５  入力インタフェース
２６  出力インタフェース
２７  通信インタフェース
２８  ＨＤＤ
【発明を実施するための最良の形態】
【００４６】
以下、本発明をその実施の形態を示す図面に基づいて具体的に説明する。
図１は本実施の形態に係る農作業管理システムの全体構成を示す模式図である。本実施の形態に係る農作業管理システムは、農作業を行う各作業者が携帯する通信端末１０と、農作業の管理を行う作業管理センタに設置された農作業管理装置２０とを備える。【００４７】
通信端末１０は、例えば、ボタン型ＲＦＩＤタグ（RFID : radio frequency identification）であり、３つの操作ボタン１２Ａ〜１２Ｃからなる操作部１２と農作業管理装置２０から送信される情報を表示するための表示部１３とを備える。通信端末１０は、操作ボタン１２Ａ〜１２Ｃが押下操作された場合、それぞれの操作ボタン１２Ａ〜１２Ｃに応じて異なる信号（例えば、周波数が異なる信号）を農作業管理装置２０に送信するように構成されている。また、通信端末１０は、これらの信号を送信するときに自己を識別するための情報（以下、ＲＦＩＤ番号）及び自己の位置に係る情報（以下、位置情報という）を前記信号と同時的に又は前後して農作業管理装置２０に送信する。【００４８】
農作業管理装置２０は、通信端末１０から送信される３種類の信号を識別することにより、通信端末１０からどのような通知が行われたのかを判断する。本実施の形態では、操作ボタン１２Ａが押下操作された場合に通信端末１０から送信される信号を受信したとき、農作業管理装置２０は、その通信端末１０を携帯している作業者が作業を開始又は終了したと判断する。同様に、農作業管理装置２０は、操作ボタン１２Ｂが押下操作された場合に送信される信号を受信した場合、実施中の作業を終了し、次の作業に切り替えたと判断する。また、操作ボタン１２Ｃが押下操作された場合に送信される信号を受信した場合、何らかの理由により作業を中断したと判断する。【００４９】
農作業管理装置２０は、このような信号を受信することで実現される通信端末１０からの通知と、通信端末１０から送信される位置情報とに基づいて農作業の管理を行う。例えば、通信端末１０から作業開始する旨の通知（すなわち、操作ボタン１２Ａが押下操作された場合に送信される信号）を受信した場合、この通信端末１０を携帯している作業者が作業を行っている場所（以下、作業場所という）を特定し、特定した作業場所で実施すべき作業内容及び作業予定時間を通信端末１０に送信する。これらの情報を受信した通信端末１０は、表示部１３への情報の表示を行う。図１に示した例では、本日の作業予定として、誘引作業、芽かき作業が表示されており、各作業の作業予定時間が１００分、１２０分であることが示されている。【００５０】
また、通信端末１０から作業内容を切り替える旨の通知（すなわち、操作ボタン１２Ｂが押下操作された場合に送信される信号）を受信した場合、農作業管理装置２０は、各作業者による作業履歴を更新すると共に、作業の進捗状況を更新する。更に、通信端末１０から作業を中断する旨の通知（すなわち、操作ボタン１２Ｃが押下操作された場合に送信される信号）を受信した場合であって、その中断理由が害虫又は病変の発生である場合、中断理由、害虫又は病変（病害虫）の発見日時、発見場所、散布した薬剤等の情報を後述するテーブルに登録する。農作業管理装置２０は、テーブルに登録された内容を分析することにより、害虫及び病変の広がり具合（深刻度、危険率）を算出したり、病害虫耐性を持つ品種、薬剤耐性を持つ病害虫を抽出したりすることができる。【００５１】
また、農作業管理装置２０は、通信ネットワークＮを介して病害虫診断の専門家が使用する端末３０及び薬剤の受注センタに設置された端末４０に接続されている。したがって、害虫又は病変を発見したが、その対策が不明である場合、作物、品種、生育ステージ、発見日時、発見場所、病害虫名、画像、気象条件等の情報を、専門家が使用する端末３０に送信することで、診断が確実かつ速やかに行われる。更に、害虫又は病変に対して散布すべき薬剤の在庫がない場合、受注センタの端末４０に対してオンライン発注を行うことで、速やかに必要な薬剤の確保が可能になる。【００５２】
なお、本実施の形態では、通信端末１０から送信される信号を農作業管理装置２０にて直接的に受信する構成としたが、通信端末１０と農作業管理装置２０との間で送受される信号及び情報を中継する１又は複数の中継装置を配置してもよいことは勿論のことである。【００５３】
図２は通信端末１０及び農作業管理装置２０の内部構成を説明するブロック図である。通信端末１０は、制御部１１、操作部１２、表示部１３、通信部１４、及び位置検出部１５を備え、制御部１１が各ハードウェア１２〜１５の動作を制御することにより、全体を本発明に係る通信装置として機能させる。【００５４】
制御部１１は、各ハードウェア１２〜１５の動作を制御するための制御プログラム、自他を識別するための識別情報を予め記憶したＲＯＭ、及びこのＲＯＭに記憶されたプログラムを実行するＣＰＵ等を備える。操作部１２が備える操作ボタン１２Ａ〜１２Ｃが押下操作された場合、制御部１１は、それぞれの操作ボタン１２Ａ〜１２Ｃに応じた信号を生成し、通信部１４を通じて農作業管理装置２０に送信する。これらの信号を送信するとき、識別情報（ＲＦＩＤ番号）及び位置検出部１５が取得した位置情報を前記信号と同時的に又は前後して農作業管理装置２０に送信する。【００５５】
農作業管理装置２０は、ＣＰＵ２１、ＲＯＭ２３、ＲＡＭ２４、入力インタフェース２５、出力インタフェース２６、通信インタフェース２７、ＨＤＤ２８、及び補助記憶装置２９を備える。これらのハードウェア各部はバス２２を介して接続されている。ＲＯＭ２３には、本発明に係るコンピュータプログラム、及び前述のハードウェア各部を制御するための制御プログラム等が予め記録されており、ＣＰＵ２１がこれらのプログラムをＲＡＭ２４上にロードして実行することにより、装置全体を本発明に係る農作業管理装置２０として機能させる。また、ＣＰＵ２１は内蔵の時計を有しており、各種の処理を実行したときの時刻情報を出力することができるように構成されている。【００５６】
通信インタフェース２７には、作業者が携帯する通信端末１０及び通信ネットワークＮに接続された各端末３０，４０と通信を行う通信装置２７０が接続されており、この通信装置２７０の動作を制御することによって通信端末１０、及び端末３０，４０との通信を行う。通信装置２７０は、例えば、通信端末１０から送信される信号を受信するためのアンテナ回路、アンテナ回路にて受信した信号をデジタル信号に変化する信号変換回路、送信すべき情報の出力先を決定するフォワーディングエンジン等を備える。【００５７】
ＨＤＤ２８は磁気記憶装置であり、その記憶領域の一部は、作物管理テーブル２８１、作業管理テーブル２８２、進捗状況管理テーブル２８３、作業員管理テーブル２８４、ＲＦＩＤ管理テーブル２８５、作業履歴管理テーブル２８６、病害虫管理テーブル２８７、病害虫対応履歴テーブル２８８、薬剤データベース２８０として利用されている。各テーブル２８１〜２８８及び薬剤データベース２８０の内容は自動又は手動により随時更新される。なお、これら各テーブル２８１〜２８８及び薬剤データベース２８０については後に詳述することとする。【００５８】
入力インタフェース２５にはキーボード２５０が接続されており、ＨＤＤ２８に設けられた各テーブル２８１〜２８８及び薬剤データベース２８０に登録すべき情報、各種処理の実行指示等を受付ける。また、出力インタフェース２６にはモニタ２６０が接続されており、各テーブル２８１〜２８８及び薬剤データベース２８０に登録された情報、各種処理の実行結果等を表示する。【００５９】
なお、本実施の形態では、本発明に係るコンピュータプログラムを記録媒体であるＲＯＭ２３に予め記録しておき、ＣＰＵ２１がそのコンピュータプログラムを読み出して実行する構成としたが、ＦＤなどの磁気ディスク、ＣＤ−ＲＯＭ、ＭＯ、ＭＤ、ＤＶＤ−ＲＯＭなどの光ディスク、ＩＣカード、メモリカード、光カードなどのカード型メモリ等の可搬型の記録媒体に本発明に係るコンピュータプログラムを記録しておき、補助記憶装置２９を用いて前記コンピュータプログラムを読み込み、読み込んだコンピュータプログラムをＣＰＵ２１が実行する構成であってもよい。【００６０】
また、本実施の形態では、農作業管理装置２０が薬剤データベース２８０を備える構成としたが、農作業管理装置２０に直接又は任意の通信ネットワークを介して接続される記憶装置内に薬剤データベース２８０を設ける構成としてもよい。【００６１】
以下、農作業管理装置２０のＨＤＤ２８内に設けられた各種テーブル及び薬剤データベース２８０の例について説明する。図３は作物管理テーブル２８１の一例を示す概念図である。作物管理テーブル２８１では、作物名、品種名、栽培株数、栽培面積、レーン数、栽培方法、作型、播種日、定植日、開花日、収穫日の情報を互いに関連付けて記憶する。【００６２】
図４は作業管理テーブル２８２の一例を示す概念図である。作業管理テーブル２８２では、作物名、作業番号、作業名、標準作業時間、生育ステージの情報を互いに関連付けて記憶する。この作業管理テーブル２８２では、実施順序に従って作業名が登録されている。したがって、例えば、施設消毒の作業の後に播種作業を行うことがこの作業管理テーブル２８２から分かる。また、標準作業時間としては、１０ａの栽培面積を１人の作業者が作業時間するとした場合の作業時間が記録されている。【００６３】
図５は進捗状況管理テーブル２８３の一例を示す概念図である。進捗状況管理テーブル２８３では、作物名、レーン番号、生育ステージ、本日の作業内容、進捗状況の情報を互いに関連付けて記憶する。すなわち、進捗状況管理テーブル２８３には作業場所（レーン番号）に関連付けて作業内容及び進捗状況の情報が記憶されている。なお、図５に示した例では、「トマト」の進捗状況を管理するテーブルを示したが、進捗状況管理テーブル２８３では、農作物毎、農作物の品種毎の進捗状況が登録される。【００６４】
図６は作業員管理テーブル２８４及びＲＦＩＤ管理テーブル２８５の一例を示す概念図である。図６（ａ）に示す作業員管理テーブル２８４では、作業員名、性別、年令、経験年数、就業日数、就業時間の情報を互いに関連付けて記憶する。図６（ｂ）に示すＲＦＩＤ管理テーブル２８５は、ＲＦＩＤ番号、作業員名、作業開始フラグ、作業切替フラグ、作業中断フラグを互いに関連付けて記憶する。ＲＦＩＤ番号は各通信端末１０に割り当てられた固有の識別情報である。作業開始フラグは、作業者が作業中であるか否かを示すフラグであり、作業中である場合「１」がセットされ、作業中でない場合「０」がセットされる。作業切替フラグは、作業の切替回数を示すフラグであり、切替回数に等しい整数値がセットされる。作業中断フラグは、作業者による作業が中断しているか否かを示すフラグであり、中断中である場合「１」がセットされ、中断中でない場合「０」がセットされる。このＲＦＩＤ管理テーブル２８５は、通信端末１０の操作ボタン１２Ａ〜１２Ｃが押下操作されたときに送信される信号を受信した場合、自動更新されるように構成されている。【００６５】
図７は作業履歴管理テーブル２８６の一例を示す概念図である。作業履歴管理テーブル２８６では、作業日、作業内容、作業開始時刻、作業終了時刻、中断開始時刻、中断終了時刻、中断理由を互いに関連付けて記憶する。この作業履歴管理テーブル２８６は、作業者毎に用意されるテーブルであり、通信端末１０の操作ボタン１２Ａ〜１２Ｃが押下操作されたときに送信される信号を受信した場合、自動更新されるように構成されている。また、必要に応じて中断理由の項目の入力を入力インタフェース２５に接続されたキーボード２５０より受付ける。【００６６】
図８は病害虫管理テーブル２８７及び病害虫対応履歴テーブル２８８の一例を示す概念図である。図８（ａ）に示す病害虫管理テーブル２８７では、作物名、品種名、レーン番号、生育ステージ、発見日時、場所、病害虫名、画像の有無、気象条件（温度、湿度、日照）の情報を関連付けて記憶する。また、図８（ｂ）に示す病害虫対応履歴テーブル２８８では、発見日時、場所、病害虫名、対応日時、散布薬剤、濃度、累積回数、散布範囲の情報を互いに関連付けて記憶する。これらのテーブルは、手動又は自動により適宜更新される。【００６７】
図９は薬剤データベース２８０の一例を示す概念図である。薬剤データベース２８０には、薬剤の登録番号、種類、名称、一般名、濃度、混合数、用途、剤型名、制限散布回数、散布の可否の情報が互いに関連付けられて記憶されている。【００６８】
以下、農作業管理装置２０が実行する処理について説明する。図１０は作業開始時に農作業管理装置２０が実行する処理の手順を示すフローチャートである。まず、農作業管理装置２０は通信インタフェース２７を通じて入力される通信端末１０からの通知に基づき、作業者による作業が開始されたか否かを判断する（ステップＳ１１）。すなわち、通信端末１０の操作ボタン１２Ａが押下操作された場合に送信される信号と当該通信端末１０のＲＦＩＤ番号とを通信装置２７０を介して受信したとき、ＲＦＩＤ管理テーブル２８５を参照し、受信したＲＦＩＤ番号に対応した作業開始フラグが「１」か「０」であるかを調べることにより、当該通信端末１０を携帯した作業者により作業が開始されたか否かを判断することができる。通信端末１０の操作ボタン１２Ａが押下操作された場合に送信される信号を受信しない場合、すなわち、作業が開始されていないと判断できる場合（Ｓ１１：ＮＯ）、作業が開始されるまで待機する。【００６９】
通信端末１０の操作ボタン１２Ａが押下操作された場合に送信される信号と当該通信端末１０のＲＦＩＤ番号とを受信したときの作業開始フラグが「０」である場合、作業が実施されていないときに操作ボタン１２Ａが押下操作されたと判断できるため、作業が開始されたと判断し（Ｓ１１：ＹＥＳ）、作業開始フラグに「１」をセットすると共に、これらの信号と同時的又は前後して通信端末１０から送信されてくる位置情報に基づき作業場所を特定する（ステップＳ１２）。作業場所の特定は、位置情報と作業場所とを関連付けたテーブルを予め用意しておくか、又は位置情報を変数として作業場所を出力する関数を予め用意しておき、これらのテーブル又は関数を用いることにより作業場所を特定することができる。【００７０】
次いで、農作業管理装置２０は、特定した作業場所での作業内容、進捗状況を進捗状況管理テーブル２８３から読み出す（ステップＳ１３）。例えば、特定した作業場所が「レーン番号１」に該当する場所のときに読み出される内容は、本日の作業内容が「収穫」であり、進捗状況が「３０％」である。【００７１】
次いで、農作業管理装置２０は、読み出した作業内容の作業予定時間を算出する（ステップＳ１４）。作業管理テーブル２８２には、各作業の標準作業時間（すなわち、１０ａの栽培面積を１人の作業者が作業を行う場合の作業時間）が登録されており、作物管理テーブル２８１には栽培面積が登録されているため、これらの情報と、現時点で作業している人数及び読み出した進捗状況の情報を考慮して作業予定時間を算出することができる。なお、このとき各作業者の能力（例えば、作業員管理テーブル２８４に登録されている経験年数）を反映したファクターを乗じて作業予定時間を算出してもよい。【００７２】
次いで、農作業管理装置２０は、読み出した作業内容が就業時間内に終了するか否かを判断する（ステップＳ１５）。ステップＳ１４で作業予定時間を算出しているので、現在時刻と作業予定時間とから作業終了時刻を算出することができ、算出した作業終了時刻と作業員管理テーブル２８４の就業時間の項目に登録されている時刻とを比較することにより、読み出した作業内容が就業時間内に終了するか否かを判断することができる。【００７３】
就業時間内に作業が終了すると判断した場合（Ｓ１５：ＹＥＳ）、作業管理テーブル２８２から次の作業内容を読み出し（ステップＳ１６）、処理をステップＳ１４に戻す。また、就業時間内に作業が終了しないと判断した場合（Ｓ１５：ＮＯ）、進捗状況管理テーブル２８３又は作業管理テーブル２８２から読み出した作業内容、及び算出した作業予定時間の情報を通信装置２７０を介して送信することにより、通信端末１０に通知する（ステップＳ１７）。これらの情報を受信した通信端末１０は表示部１３への表示を行う。【００７４】
次いで、農作業管理装置２０は通信インタフェース２７を通じて入力される通信端末１０からの通知に基づき、作業者による作業が終了したか否かを判断する（ステップＳ１８）。作業開始時と同様に、通信端末１０の操作ボタン１２Ａが押下操作された場合に送信される信号と当該通信端末１０のＲＦＩＤ番号とを通信装置２７０を介して受信したとき、ＲＦＩＤ管理テーブル２８５を参照し、受信したＲＦＩＤ番号に対応した作業開始フラグが「１」か「０」を調べることにより、当該通信端末１０を携帯した作業者による作業が終了したか否かを判断することができる。通信端末１０の操作ボタン１２Ａが押下操作された場合に送信される信号を受信しない場合、すなわち、作業が終了していないと判断できる場合（Ｓ１８：ＮＯ）、作業が終了するまで待機する。【００７５】
通信端末１０の操作ボタン１２Ａが押下操作された場合に送信される信号と当該通信端末１０のＲＦＩＤ番号とを受信したときの作業開始フラグが「１」である場合、作業中に操作ボタン１２Ａが押下操作されたと判断できるため、作業が終了したと判断し（Ｓ１８：ＹＥＳ）、作業開始フラグに「０」をセットして本フローチャートによる処理を終了する。【００７６】
図１１は作業中断時に農作業管理装置２０が実行する処理の手順を示すフローチャートである。まず、農作業管理装置２０は通信インタフェース２７を通じて入力される通信端末１０からの通知に基づき、作業者による作業が中断されたか否かを判断する（ステップＳ２１）。前述と同様にＲＦＩＤ管理テーブル２８５を参照し、通信端末１０のＲＦＩＤ番号に対応した作業中断フラグが「１」か「０」であるかを調べることにより、当該通信端末１０を携帯した作業者による作業が中断されたか否かを判断することができる。通信端末１０の操作ボタン１２Ｃが押下操作された場合に送信される信号を受信しない場合、すなわち、作業が中断されていないと判断できる場合（Ｓ２１：ＮＯ）、作業が中断されるまで待機する。【００７７】
通信端末１０の操作ボタン１２Ｃが押下操作された場合に送信される信号と当該通信端末１０のＲＦＩＤ番号とを受信したときの作業中断フラグが「０」である場合、作業の実施中に操作ボタン１２Ｃが押下操作されたと判断できるため、作業が中断されたと判断する（Ｓ２１：ＹＥＳ）。このとき、農作業管理装置２０は作業中断フラグに「１」をセットする。【００７８】
次いで、中断理由が害虫又は病変の発生であるか否かを判断する（ステップＳ２２）。例えば、作業が中断しているときに作業履歴管理テーブル２８６の中断理由の項目にアクセスがあった場合、又は病害虫管理テーブル２８７にアクセスがあった場合、中断理由が害虫又は病変の発生であると判断することができる。中断理由が害虫又は病変の発生でないと判断した場合（Ｓ２２：ＮＯ）、本フローチャートによる処理を終了する。【００７９】
中断理由が害虫又は病変の発生であると判断した場合（Ｓ２２：ＹＥＳ）、専門家の診断が必要であるか否かを判断する（ステップＳ２３）。例えば、病害虫管理テーブル２８７において、病害虫名以外の項目が入力された状態で登録された場合、又は、病害虫対応履歴テーブル２８８において、発見日時、場所、病害虫名の項目が入力され、他の項目が入力されていない状態で登録された場合、専門家の診断が必要であると判断することができる。専門家の判断が必要であると判断した場合（Ｓ２３：ＹＥＳ）、専門家に情報を送信する（ステップＳ２４）。具体的には、作物、品種、生育ステージ、発見日時、発見場所、病害虫名、画像、気象条件等の情報を、通信ネットワークＮを介して専門家が使用する端末３０に送信する。【００８０】
専門家の診断が必要でないと判断した場合（Ｓ２３：ＮＯ）、対策を検討するか否かを判断する（ステップＳ２５）。例えば、入力インタフェース２５に接続されているキーボード２５０を通じて薬剤の検索依頼を受付けた場合、対策を検討すると判断し（Ｓ２５：ＹＥＳ）、薬剤データベース２８０に登録されている薬剤の検索を行う（ステップＳ２６）。図１２は薬剤の検索結果の一例を示す図表である。図１２に示した例では、検索結果として、発見日時、場所、病害虫名、検索結果薬剤、在庫、散布回数、散布の可否、発注状況の情報が出力されている。なお、対策を検討しないと判断した場合（Ｓ２５：ＮＯ）、本フローチャートによる処理を終了する。【００８１】
薬剤の検索の結果、散布可能な薬剤があるか否かを判断する（ステップＳ２７）。条件に合う薬剤が検索されなかったとき、又は条件に合う薬剤が検索された場合であっても制限散布回数に既に達しているとき、散布可能な薬剤がないと判断し（Ｓ２７：ＮＯ）、代替薬剤の検索を行い（ステップＳ２８）、処理をステップＳ２７に戻す。【００８２】
散布可能な薬剤があると判断した場合（Ｓ２７：ＹＥＳ）、その薬剤は在庫が有るか否かを判断する（ステップＳ２９）。在庫がないと判断した場合（Ｓ２９：ＮＯ）、発注者名、発注する薬剤の名称、必要数等の情報を通信ネットワークＮを介して受注センタの端末４０に送信することによりオンライン発注を行う（ステップＳ３０）。ステップＳ２９で在庫ありと判断した場合（Ｓ２９：ＹＥＳ）、散布する薬剤を決定し（ステップＳ３１）、本フローチャートによる処理を終了する。【００８３】
図１３は分析処理の実行時に農作業管理装置２０が実行する処理の手順を示すフローチャートである。農作業管理装置２０は、まず、入力インタフェース２５を通じて入力される情報に基づき分析処理の実行指示があるか否かを判断する（ステップＳ４１）。分析処理の実行指示がないと判断した場合（Ｓ４１：ＮＯ）、実行指示があるまで待機する。【００８４】
分析処理の実行指示があると判断した場合（Ｓ４１：ＹＥＳ）、農作業管理装置２０は、病害虫管理テーブル２８７から病害虫の広がり具合を算出する（ステップＳ４２）。例えば、レーン幅を１ｍと仮定し、前回の観測データとの差分をとることにより広がり具合を算出することができる。図１４は病害虫の広がり具合の算出結果の一例を示す図表である。図１４に示した例では、病害虫の観測履歴として、発見日時、場所、病害虫名、汚染範囲等の情報が記録されており、これらの記録に基づいて広がり具合が算出されている。【００８５】
次いで、農作業管理装置２０は、病害虫対応履歴テーブル２８８より、病害虫耐性のある品種、薬剤耐性のある病害虫を抽出する（ステップＳ４３）。図１５は病害虫耐性のある品種、薬剤耐性のある病害虫耐性のある病害虫の抽出結果の一例を示す図表である。図１５（ａ）に示した例では、病害虫耐性のある品種として、「ＴＭ０１」及び「ＴＭ０３」が抽出されていることを示している。また、図１５（ｂ）に示した例では、薬剤耐性のある病害虫として、「アブラムシ」が抽出されていることを示している。【００８６】
なお、本実施の形態では、作業開始、作業終了、作業中断の判断をＲＦＩＤ管理テーブル２８５で管理しているフラグに基づいて行ったが、通信端末１０の操作ボタン１２Ａ〜１２Ｃの押し方について予めルールを定めておき、このルールに従った押し方で操作ボタン１２Ａ〜１２Ｃが押下操作された場合に送信される信号に基づいて判断してもよい。例えば、操作ボタン１２Ａの１回押しの場合、作業が開始されたと判断し、操作ボタン１２Ａの２回押しの場合、作業が終了されたと判断することもできる。また、操作ボタン１２Ｂが長押しされた場合、作業が中断されたと判断することもできる。
【図１】
2008126261.tif 000003
【図２】
2008126261.tif 000004
【図３】
2008126261.tif 000005
【図４】
2008126261.tif 000006
【図５】
2008126261.tif 000007
【図６】
2008126261.tif 000008
【図７】
2008126261.tif 000009
【図８】
2008126261.tif 000010
【図９】
2008126261.tif 000011
【図１０】
2008126261.tif 000012
【図１１】
2008126261.tif 000013
【図１２】
2008126261.tif 000014
【図１３】
2008126261.tif 000015
【図１４】
2008126261.tif 000016
【図１５】
2008126261.tif 000017
【手続補正書】
【提出日】平成21年9月4日(2009.9.4)
【手続補正２】
【補正対象書類名】明細書
【補正対象項目名】０００１
【補正方法】変更
【補正の内容】
【０００１】
本発明は、農作業の進捗状況を管理する農作業管理システム、農作業管理装置及び農作業管理方法に関する。
【手続補正３】
【補正対象書類名】明細書
【補正対象項目名】０００９
【補正方法】変更
【補正の内容】
【０００９】
本発明は斯かる事情に鑑みてなされたものであり、農作業を行う作業者が携帯する通信装置からの通知に基づき、作業者が作業している作業場所を特定し、特定した作業場所での作業内容及び作業予定時間の情報を前記通信装置へ送信する構成としているため、栽培している農作物、品種が多岐に亘り、栽培箇所が複数である場合、作業者が複数である場合等であっても作業効率を飛躍的に向上させることができる農作業管理システム、農作業管理装置及び農作業管理方法を提供することを目的とする。
【手続補正４】
【補正対象書類名】明細書
【補正対象項目名】００２２
【補正方法】削除
【補正の内容】
【手続補正５】
【補正対象書類名】明細書
【補正対象項目名】００２３
【補正方法】削除
【補正の内容】
【手続補正６】
【補正対象書類名】明細書
【補正対象項目名】００２４
【補正方法】変更
【補正の内容】
【００２４】
第１発明、第１１発明及び第１２発明にあっては、農作業を行う作業者が携帯する通信装置からの通知に基づき、作業者が作業している作業場所を特定し、特定した作業場所での作業内容を読み出し、作業予定時間を算出する構成であるため、作業場所及び作業の進捗具合に応じて最適な人員配置が可能となる。
【手続補正７】
【補正対象書類名】明細書
【補正対象項目名】００３４
【補正方法】変更
【補正の内容】
【００３４】
第１発明、第１１発明及び第１２発明による場合は、農作業を行う作業者が携帯する通信装置からの通知に基づき、作業者が作業している作業場所を特定し、特定した作業場所での作業内容を読み出し、作業予定時間を算出するようにしている。したがって、作業場所及び作業の進捗具合に応じて最適に人員を配置することができ、栽培している農作物、品種が複数である場合、栽培している場所が複数である場合、作業者が複数いる場合等であっても効率的に農作業を進めることができる。
【手続補正８】
【補正対象書類名】特許請求の範囲
【補正対象項目名】全文
【補正方法】変更
【補正の内容】
【特許請求の範囲】
【請求項１】
農作業を行う作業者の位置情報を送信する通信装置と、該通信装置から送信される位置情報に基づいて前記農作業の進捗状況を管理する農作業管理装置とを備える農作業管理システムにおいて、
前記通信装置は、農作業の開始時及び終了時に所定の操作を受付ける操作部と、該操作部にて前記所定の操作を受付けた場合、農作業が開始された旨及び農作業が終了した旨を前記農作業管理装置に通知する手段と、前記農作業管理装置から送信される情報を受信する手段と、受信した情報を表示する表示部とを備え、
前記農作業管理装置は、作業場所、該作業場所にて実施すべき作業内容、及び作業の進捗状況を関連付けて記憶する進捗状況管理テーブルと、前記通信装置からの通知に基づき作業履歴を作成する手段と、前記通信装置から送信される位置情報に基づいて作業場所を特定する手段と、特定した作業場所にて実施すべき作業内容及び進捗状況の情報を前記進捗状況管理テーブルから読み出す手段と、読み出した進捗状況の情報から作業予定時間を算出する手段と、読み出した作業内容及び算出した作業予定時間の情報を前記通信装置へ送信する手段とを備えることを特徴とする農作業管理システム。
【請求項２】
前記農作業管理装置は、作成した作業履歴に従って前記進捗状況管理テーブルに記憶させる作業内容及び進捗状況の情報を更新する手段を備えることを特徴とする請求項１に記載の農作業管理システム。
【請求項３】
前記農作業管理装置は、農作物毎又は農作物の品種毎に前記進捗状況管理テーブルを備えることを特徴とする請求項１又は請求項２に記載の農作業管理システム。
【請求項４】
前記通信装置は、前記操作部にて前記所定の操作と異なる操作を受付けた場合、農作業が中断された旨を前記農作業管理装置に通知する手段を備え、
前記農作業管理装置は、農作業が中断された旨の通知を受信する手段と、中断理由に係る情報を受付ける手段と、前記通知及び受付けた中断理由に係る情報に基づいて中断履歴を作成する手段とを備えることを特徴とする請求項１乃至請求項３の何れか１つに記載の農作業管理システム。
【請求項５】
前記中断理由は、害虫又は病変の発生に伴う薬剤散布を含み、前記農作業管理装置は、発生した害虫又は病変の情報と発生場所の情報とを時刻に関連付けて記憶することにより前記中断履歴を作成するようにしてあることを特徴とする請求項４に記載の農作業管理システム。
【請求項６】
前記農作業管理装置は、前記中断履歴に記憶されている情報に基づき、害虫又は病変の発生場所の広がり具合を算出する手段を備えることを特徴とする請求項５に記載の農作業管理システム。
【請求項７】
前記中断理由は、害虫又は病変の発生に伴う薬剤散布を含み、前記農作業管理装置は、散布した薬剤の情報と散布場所の情報とを時刻に関連付けて記憶することにより前記中断履歴を作成するようにしてあることを特徴とする請求項４に記載の農作業管理システム。
【請求項８】
前記農作業管理装置は、薬剤の種類、該薬剤の用途、及び該薬剤に対して規定された制限散布回数を関連付けて記憶する薬剤データベースと、農作業が中断された旨の通知を受信した場合、前記薬剤データベースから散布可能な薬剤を検索する手段と、検索された散布可能な薬剤の情報を表示する手段とを備えることを特徴とする請求項７に記載の農作業管理システム。
【請求項９】
前記農作業管理装置は、発生した害虫又は病変に関連する情報及び発生場所に関連する情報を外部へ送信する手段を備えることを特徴とする請求項５に記載の農作業管理システム。
【請求項１０】
前記農作業管理装置は、害虫又は病変に対する耐性を持つ農作物及び薬剤耐性を持つ害虫又は病変を抽出する手段を備えることを特徴とする請求項７に記載の農作業管理システム。
【請求項１１】
農作業を行う作業者の位置情報を取得し、取得した位置情報に基づいて前記農作業の進捗状況を管理する農作業管理装置において、
作業場所、該作業場所にて実施すべき作業内容、及び作業の進捗状況を関連付けて記憶する進捗状況管理テーブルと、位置情報を取得した場合、該位置情報に基づいて作業場所を特定する手段と、特定した作業場所にて実施すべき作業内容及び進捗状況の情報を前記進捗状況管理テーブルから読み出す手段と、読み出した進捗状況の情報から作業予定時間を算出する手段と、読み出した作業内容及び算出した作業予定時間の情報を外部へ送信する手段とを備えることを特徴とする農作業管理装置。
【請求項１２】
農作業を行う作業者の位置情報を取得し、取得した位置情報に基づいて前記農作業の進捗状況を管理する農作業管理方法において、
作業場所、該作業場所にて実施すべき作業内容、及び作業の進捗状況を関連付けて進捗状況管理テーブルに格納するステップと、位置情報を取得した場合、該位置情報に基づいて作業場所を特定するステップと、特定した作業場所にて実施すべき作業内容及び進捗状況の情報を前記進捗状況管理テーブルから読み出すステップと、読み出した進捗状況の情報から作業予定時間を算出するステップと、読み出した作業内容及び算出した作業予定時間の情報を外部へ送信するステップとを有することを特徴とする農作業管理方法。
【国際調査報告】
2008126261.tif 000018
2008126261.tif 000019
2008126261.tif 000020
2008126261.tif 000021